(57)【要約】【課題】本発明は、外部の画像処理装置から受信した画像データについても、入力から出力までの処理効率の低下を抑止することを目的とするものである。【解決手段】画像処理装置１００は、外部の画像処理装置１０３から送信された識別情報を検知する識別情報検知部２１０と、外部の画像処理装置１０３における画像データの画像処理に関する付加情報を識別情報に関連付けて格納する付加情報格納装置１０４と、検知された識別情報に対応する付加情報を付加情報格納装置１０４より読み出して画像処理部２２に設定する付加情報制御部２３とを備え、全体制御部３は、付加情報制御部２３の付加情報の読出し処理と並行して画像データの蓄積処理を行う。【選択図】図１
2014128026.tif 000002
【特許請求の範囲】
【請求項１】
外部装置とデータを送受信して画像データを取得する送受信手段と、外部装置から取得した前記画像データを蓄積する蓄積手段と、前記画像データを処理する画像処理手段と、前記画像処理手段により処理された前記画像データを出力する画像出力手段と、各手段を制御して外部装置から取得した前記画像データを蓄積するとともに前記画像データを処理して出力する制御手段とを備えている画像処理装置であって、外部装置から送信された当該外部装置の識別情報を検知する識別情報検知手段と、外部装置における画像データの画像処理に関する付加情報を前記識別情報に関連付けて格納する格納手段と、前記識別情報検知手段で検知された前記識別情報に対応する前記付加情報を前記格納手段より読み出して前記画像処理手段に設定する付加情報制御手段とを備え、前記制御手段は、前記付加情報制御手段の前記付加情報の読出し処理と並行して前記画像データの蓄積処理を行う画像処理装置。
【請求項２】
前記付加情報制御手段は、前記格納手段が接続されているか判別する手段と、前記格納手段が接続されていない場合に前記制御手段に通知する手段とを備えており、前記制御手段は、前記付加情報制御手段により前記格納手段が接続されていないことを通知された場合に外部装置から前記付加情報を取得して前記画像処理手段に設定する請求項１に記載の画像処理装置。
【請求項３】
前記付加情報制御手段は、画像処理に必要なすべての前記付加情報が前記格納手段に格納されているか判別する手段と、一部の前記付加情報が不足していると判別された場合に前記制御手段に通知する手段を備えており、前記制御手段は、一部の前記付加情報が不足していることを通知された場合に外部装置から不足する前記付加情報を取得して前記画像処理手段に設定する請求項１又は２に記載の画像処理装置。
【請求項４】
前記制御手段は、前記画像データを取得した外部装置とは別の外部装置から前記付加情報を取得する請求項２又は３に記載の画像処理装置。
【請求項５】
前記付加情報は、フィルタ系処理、認識処理、形状補正処理及びカラーマネジメント系色処理に関するパラメータを少なくとも１つ含んでいる請求項１から４のいずれかに記載の画像処理装置。
【請求項６】
外部装置とデータを送受信して画像データを取得し、取得した前記画像データを蓄積するとともに前記画像データを画像処理して画像出力する画像処理方法であって、
外部装置における画像データの画像処理に関する付加情報を当該外部装置の識別情報に関連付けて格納しておき、外部装置から送信された当該外部装置の前記識別情報を検知し、検知された前記識別情報に対応する前記付加情報を前記画像データの蓄積処理と並行して読み出し、読み出された前記付加情報に基づいて前記画像データの画像処理を行う画像処理方法。
【発明の詳細な説明】
【技術分野】
【０００１】
本発明は、複写機、ファクシミリ、プリンタ、スキャナ等の機能を複合したデジタル複合機（ＭＦＰ：Multi Function Printer）等の画像処理装置及び画像処理方法に関する。
【背景技術】
【０００２】
従来より、デジタル化された画像データを取り扱う画像処理装置が開発されている。画像データをデジタルデータとして処理することで、複写機能、ファクシミリ機能、プリンタ機能、スキャナ機能といった多様な機能の複合化が進められており、デジタル複合機として実用化されている。
また、ＨＤＤドライブ等の記憶装置の大容量化及び低コスト化、通信ネットワークの高速化、ＰＣの高性能化が進み、メモリサイズの大きい画像データについても容易に送受信して蓄積・処理することが可能となっている。そのため、通信ネットワークで接続された画像処理装置の間で画像データが送受信されて利用されるようになってきている。また、その際の画像データの再利用性の向上が求められるようになっている。
【０００３】
例えば、特許文献１には、画像読み取り手段から入力された画像データを、画像書き込み手段と外部装置の両方に利用可能となるように画像データの性質を統一する処理を行い、性質を統一した画像データを記憶手段に蓄積し、画像書き込み手段及び外部Ｉ／Ｆ手段への出力に適する性質に画像データを処理することにより、記憶手段に蓄積した画像データを画像書き込み手段と外部装置のどちらにも再利用可能とした点が記載されている。
【発明の概要】
【発明が解決しようとする課題】
【０００４】
画像処理装置内に多くの画像データが蓄積されるに伴い、蓄積された画像データを再利用したいという要望が高まっており、特に、他の画像処理装置に蓄積された画像データをネットワーク経由で取得して同等の画質で出力したいという画像処理装置間の画像データの再利用に関する要望が高くなってきている。
こうした要望に対して、特許文献１に記載されているように、画像処理装置に蓄積する画像データ及びその付帯情報の性質を他の画像処理装置でも使用可能となるように統一することが提案されている。性質の統一された画像データ及びその付帯情報をネットワーク経由で送信元の画像処理装置から送信し、送信先の画像処理装置においても処理可能な性質の画像データ及びその付帯情報を基に画像処理を行うので、出力画像の高画質化を図ることができる。
【０００５】
しかしながら、送信先の画像処理装置では、画像データ及びその付帯情報を受信する際に、画像データ及びその付帯情報を同一のネットワーク帯域で受信処理するため、付帯情報を受信しない画像処理に比べて受信期間が長くなり、画像データの入力から出力までの処理効率が低下する。
また、付帯情報を受信せずに高画質化を図るために、送信元の画像処理装置の特性に対応する画像処理パラメータを、画像データとともに送信することが考えられる。しかし、この場合でも、画像データ及び画像処理パラメータを同一のネットワーク帯域で受信処理するため、画像処理パラメータを受信しない画像処理に比べて処理効率が低下する。
【０００６】
本発明は、こうした従来技術の課題に鑑みてなされたものであり、その目的は、外部の画像処理装置から受信した画像データについても、入力から出力までの処理効率の低下を抑止することである。
【課題を解決するための手段】
【０００７】
本発明に係る画像処理装置は、外部装置とデータを送受信して画像データを取得する送受信手段と、外部装置から取得した前記画像データを蓄積する蓄積手段と、前記画像データを処理する画像処理手段と、前記画像処理手段により処理された前記画像データを出力する画像出力手段と、各手段を制御して外部装置から取得した前記画像データを蓄積するとともに前記画像データを処理して出力する制御手段とを備えている画像処理装置であって、外部装置から送信された当該外部装置の識別情報を検知する識別情報検知手段と、外部装置における画像データの画像処理に関する付加情報を前記識別情報に関連付けて格納
する格納手段と、前記識別情報検知手段で検知された前記識別情報に対応する前記付加情報を前記格納手段より読み出して前記画像処理手段に設定する付加情報制御手段とを備え、前記制御手段は、前記付加情報制御手段の前記付加情報の読出し処理と並行して前記画像データの蓄積処理を行う。
【発明の効果】
【０００８】
本発明は、画像データの受信処理と並行して画像処理に必要な付加情報を付加情報格納手段から読み出して画像処理手段に設定することで、画像データの蓄積処理に引き続いて付加情報を受信するための期間が不要となり、処理効率の低下を抑止することができる。
【図面の簡単な説明】
【０００９】
【図１】本発明に係る実施形態である画像処理装置に関する概略構成図である。
【図２】外部の画像処理装置に蓄積された画像データを出力する際のデータフローである。
【図３】図２のデータ処理に関するタイミングチャートである。
【図４】外部の画像処理装置に蓄積された画像データを出力する際に付加情報の一部を付加情報格納装置から取得する場合のデータフローである。
【図５】図４のデータ処理に関するタイミングチャートである。
【図６】外部の画像処理装置に蓄積された画像データを出力する際に付加情報も外部の画像処理装置から取得する場合のデータフローである。
【図７】図６のデータ処理に関するタイミングチャートである。
【図８】付加情報格納装置に格納されるデータ構成に関する説明図である。
【図９】付加情報制御部における付加情報の処理に関するフロー図である。
【図１０】全体制御部における付加情報の処理に関するフロー図である。
【発明を実施するための形態】
【００１０】
図１は、本発明に係る実施形態である画像処理装置に関する概略構成図である。
画像処理装置１００は、画像読取装置１０１及び画像出力手段である画像出力装置１０２の動作を制御する動作制御部１、外部装置である外部の画像処理装置１０３と通信ネットワークを介して接続して画像処理を行う画像処理制御部２、画像処理装置１００の全体制御を行う全体制御部３、及び、全体制御の処理に必要なプログラム及びデータを記憶する記憶部４を備えている。
画像処理装置１００は、外部の画像処理装置１０３等の他の画像処理装置との間で画像データの送受信を行い、他の画像処理装置において作成した画像データを蓄積して再利用するようになっている。
【００１１】
動作制御部１は、スキャナ等の画像読取装置１０１を制御して画像読取データを取得して画像処理制御部２に送信し、画像処理制御部２から受信した画像出力データに基づいてプロッタ等の画像出力装置１０２を制御して用紙等に画像を出力する。動作制御部１は、画像読取特性補正部１１及び画像出力特性補正部１２を備えている。画像読取特性補正部１１は、画像読取装置１０１から受信した画像読取データに対して画像読取装置１０１の特性に応じて補正処理を行う。また、画像出力特性補正部１２は、画像処理制御部２から受信した画像出力データに対して画像出力装置１０２の特性に応じた補正処理を行い、画像出力装置１０２に送信する。
【００１２】
画像処理制御部２は、読取画像データ、出力画像データ、通信ネットワークを介して送受信される画像データ等の処理を行う。画像処理制御部２は、送受信手段であるネットワーク制御部２１、画像処理手段である画像処理部２２、付加情報制御手段である付加情報制御部２３及び画像蓄積制御部２４を備えている。画像蓄積制御部２４は、全体制御部３とともに制御手段を構成する。
ネットワーク制御部２１は、Erthernet等の通信ネットワークを介して外部の画像処理装置１０３との間で画像データ等のデータ送受信を行うとともに全体制御部３との間でデータ送受信機能を有する。ネットワーク制御部２１は、外部の画像処理装置１０３から送信される装置を特定するＩＤ等の識別情報を検知する識別情報検知手段である識別情報検知部２１０を備えている。
【００１３】
識別情報検知部２１０により検知された識別情報は、後述するように、付加情報制御部２３に直接送信されるとともに全体制御部３に送信されて画像処理に用いられる。
画像処理部２２は、動作制御部１から受信した画像データ又は全体制御部３から受信した画像データに対し画像処理を行う。画像処理としては、エッジ強調・モアレ除去等のフィルタ系処理、像域分離・文字認識等の認識処理、回転・歪み補正・変倍等の形状補正処理、色変換・階調処理等のカラーマネジメント系色処理、等が挙げられる。
【００１４】
付加情報制御部２３は、格納手段である付加情報格納装置１０４の接続状態の検知及び付加情報格納装置１０４に関する情報を取得し、ステータスとして保持する。また、識別情報検知部２１０から識別情報を受信し、受信した識別情報に対応する付加情報を付加情報格納装置１０４から読み出す処理を行い、読み出された付加情報を画像処理部２２に送信する。そして、読み出した付加情報を全体制御部３に通知するとともに、付加情報が画像処理部２２の内部レジスタに保存されたことを全体制御部３に通知する。また、利用者が指定した印刷モードを示す印刷モードＩＤの取得及び保存の処理も行う。
【００１５】
付加情報格納装置１０４は、付加情報として、外部の画像処理装置１０３の特性に応じて画像処理部２２において適用される画像処理用のパラメータが格納されている。パラメータとしては、フィルタ系処理、認識処理、形状補正処理、カラーマネジメント系色処理といった画像処理に用いるパラメータが挙げられる。付加情報は、これらの画像処理に関するパラメータを少なくとも１つを含んでいる。
【００１６】
画像蓄積制御部２４は、全体制御部３を介して蓄積手段である画像蓄積装置１０５に蓄積された画像データを読み出す読出し処理及び受信した画像データを書き込む書込み処理を行う。画像蓄積装置１０５は、画像処理の際に画像データを一時的に蓄積したり、再出力用の画像データを蓄積する。
【００１７】
動作制御部１及び画像処理制御部２は、ＡＳＩＣ（Application pecific Integrated Circuit）により構成することができ、ＰＣＩｅ（Peripheral Component Interconnect
express）といったデータ送受信インターフェースで接続することができる。画像処理制御部２と全体制御部３との間には、ＰＣＩｅといったデータ送受信インターフェースで接続されており、全体制御部３と記憶部４との間には、ＤＤＲ（Double Data Rate）規格に基づいたデータ送受信インターフェースで接続されている。付加情報格納装置１０４及び画像蓄積装置１０５としては、画像処理装置１００に着脱可能なハードディスクドライブを用いることができ、ＳＡＴＡ（Serial Advanced Technology Attachment）規格に基づいてデータ送受信インターフェースで接続することができる。
【００１８】
図２は、外部の画像処理装置１０３に蓄積された画像データを出力する際のデータフローであり、図３は、図２のデータ処理に関するタイミングチャートである。データフローＤ１−１では、ネットワーク制御部２１が、外部の画像処理装置１０３から、当該装置を特定する識別情報を受信して、受信したことを全体制御部３に通知する。全体制御部３は、識別情報の受信に関する通知を受信した後、付加情報制御部２３に対して付加情報格納装置１０４の接続状態を確認し、ネットワーク制御部２１を介して外部の画像処理装置１０３に対してＲＧＢ画像データの転送許可通知を送信する。転送許可通知を送信後、ネットワーク制御部２１は、画像処理装置１００及び外部の画像処理装置１０３で利用可能なＲＧＢ画像データを受信する。ネットワーク制御部２１で受信したＲＧＢ画像データは、ネットワーク制御部２１から全体制御部３に転送されて記憶部４に一且蓄積された後画像蓄積制御部２４を介して画像蓄積装置１０５へ順次転送されて蓄積される。
【００１９】
データフローＰ１−１では、識別情報検知部２１０が、外部の画像処理装置１０３から送信された識別情報を検知し、検知された識別情報を付加情報制御部２３へ通知する。
データフローＰ１−２では、付加情報制御部２３は、識別情報検知部２１０から識別情報を受信したことをトリガとして、付加情報格納装置１０４からの付加情報の読出し処理を開始する。データフローＰ１−２では、付加情報格納装置１０４の識別情報及び印刷モードＩＤに応じたアクセス領域から付加情報である画像処理パラメータを読み出す。読み出された画像処理パラメータを画像処理部２２に送信して画像処理部２２の内部レジスタに画像処理パラメータを順次設定していく。
【００２０】
画像処理パラメータは、上述したフィルタ系処理、認識処理、形状補正処理、カラーマネジメント系色処理等に用いるパラメータであり、画像処理部２２における画像処理機能のすべてのパラメータを含むものである。
データフローＰ１−３では、付加情報制御部２３は、データフローＰ１−２により、画像処理部２２に画像処理パラメータを設定した時点で、全体制御部３に処理終了割り込み通知を送信する。
【００２１】
データフローＤ１−２では、全体制御部３は、データフローＰ１−１及びデータフローＤ１−１の処理が完了した時点で、データフローＤ１−１により画像蓄積装置１０５に蓄積されたＲＧＢ画像データを読み出して画像処理部２２により画像処理を行う。画像処理部２２における画像処理では、上述したフィルタ系処理、認識処理、形状補正処理、カラーマネジメント系色処理等の処理が行われる。画像処理後のＫＣＭＹ画像データは記憶部４に一旦記憶される。
【００２２】
データフローＤ１−３では、全体制御部３は、データフローＤ１−２により記憶部４に記憶されたＫＣＭＹ画像データを動作制御部１に送信する。動作制御部１に送信されたＫＣＭＹ画像データは、画像出力特性補正部１２により補正処理された後に、画像出力装置１０２へ送信されて画像出力される。
【００２３】
以上のようなデータ処理により、画像データの転送処理に並行して付加情報の読出し処理及び画像処理部への付加情報の設定処理が行われる。そのため、画像データの処理に引き続いて付加情報の設定処理を行うことが不要となって、処理効率を低下させることなく高画質の画像処理を行うことができる。
【００２４】
図４は、外部の画像処理装置１０３に蓄積された画像データを出力する際に、付加情報の一部を付加情報格納装置から取得する場合のデータフローである。図５は、図４のデータ処理に関するタイミングチャートである。
データフローＤ２−１では、図２で説明したデータフローＤ１−１と同様に識別情報及びＲＧＢ画像データに関するデータ処理を行う。また、データフローＰ２−１では、図２で説明したデータフローＰ１−１と同様に識別情報に関するデータ処理を行う。
【００２５】
データフローＰ２−２では、付加情報制御部２３は、識別情報検知部２１０から識別情報を受信したことをトリガとして、付加情報格納装置１０４に画像処理に必要な画像処理パラメータがすべて格納されているか否か判別する。ここで、一部の画像処理パラメータのみ格納されていると判別された場合には、その旨を全体制御部３に通知する。
【００２６】
画像処理パラメータは、上述したフィルタ系処理、認識処理、形状補正処理、カラーマネジメント系色処理等の画像処理部２２における画像処理機能のすべてのパラメータを含むものであるが、これらのパラメータのうち一部が格納されていないことを通知する。
【００２７】
データフローＰ２−３では、付加情報制御部２３は、付加情報格納装置１０４からの付加情報の読出し処理を開始し、付加情報格納装置１０４の識別情報及び印刷モードＩＤに応じたアクセス領域から付加情報である画像処理パラメータを読み出す。読み出された画像処理パラメータを画像処理部２２に送信して、画像処理部２２の内部レジスタに画像処理パラメータを順次設定していく。例えば、付加情報格納装置１０４にカラーマネジメント系色処理のパラメータのみ格納されている場合は、付加情報格納装置１０４からカラーマネジメント系色処理パラメータのみ読み出して、画像処理部２２の内部レジスタに設定する。
【００２８】
データフローＰ２−４では、図２で説明したデータフローＰ１−３と同様に画像パラメータの設定処理の終了通知を行う。
データフローＰ２−５では、全体制御部３は、データフローＰ２−２による通知を受信すると、ネットワーク制御部２１を介して外部の画像処理装置１０３に対して、付加情報格納装置１０４に格納されていない画像処理パラメータの送信要求を行う。なお、外部の画像処理装置に関する画像処理パラメータを別の管理装置で管理している場合には、その管理装置にアクセスすればよい。
【００２９】
外部の画像処理装置１０３から画像処理パラメータを受信すると、受信した画像処理パラメータは、ネットワーク制御部２１を介して全体制御部３に転送された後記憶部４を介して画像蓄積装置１０５に蓄積される。例えば、付加情報格納装置１０４にカラーマネジメント系色処理のパラメータのみ格納されている場合は、外部の画像処理装置１０３に対してカラーマネジメント系色処理以外の画像処理（フィルタ系処理、認識処理、形状補正処理等）に必要なパラメータの送信要求を行い、受信したパラメータを画像蓄積装置１０５に転送して蓄積しておく。
【００３０】
データフローＰ２−６では、全体制御部３は、データフローＰ２−５の処理が完了した時点で、画像蓄積装置１０５に蓄積された画像処理パラメータを、画像処理部２２の内部レジスタに順次設定していく。例えば、付加情報格納装置１０４にカラーマネジメント系色処理のパラメータのみ格納されている場合は、画像蓄積装置１０５に蓄積されたカラーマネジメント系色処理以外の残りの画像処理（フィルタ系処理、認識処理、形状補正処理等）パラメータを画像処理部２２の内部レジスタに設定する。
【００３１】
データフローＤ２−２では、全体制御部３は、データフローＰ２−３、データフローＰ２−６及びデータフローＤ２−１の処理が完了した時点で、図２で説明したデータフローＤ１−２と同様に、画像処理部２２において設定した画像処理パラメータに基づいて画像処理を行い、ＫＣＭＹ画像データを得る。そして、データフローＤ２−３では、図２で説明したデータフローＤ１−３と同様に画像出力に関するデータ処理を行う。
【００３２】
以上のようなデータ処理により、画像データの転送処理に並行して格納された一部の付加情報の読出し処理及び画像処理部への設定処理が行われる。そのため、画像データの処理に引き続いて設定処理する付加情報が少なくなり、処理効率の低下を抑止して高画質の画像処理を行うことができる。
【００３３】
図６は、外部の画像処理装置１０３に蓄積された画像データを出力する際に付加情報も外部の画像処理装置１０３から取得する場合のデータフローである。図７は、図６のデータ処理に関するタイミングチャートである。この例では、付加情報格納装置１０４が画像処理装置１００から取り外されている。
データフローＤ３−１では、図２で説明したデータフローＤ１−１と同様に、識別情報及びＲＧＢ画像データに関するデータ処理を行う。また、データフローＰ３−１では、図２で説明したデータフローＰ１−１と同様に識別情報に関するデータ処理を行う。
【００３４】
データフローＰ３−２では、全体制御部３は、付加情報制御部２３のステータスに基づいて付加情報格納装置１０４が未接続であることを判別し、ネットワーク制御部２１を介して外部の画像処理装置１０３に対して画像処理部２２において必要となる全ての画像処理パラメータの送信要求を行う。そして、外部の画像処理装置１０３から受信した画像処理パラメータは、画像蓄積装置１０５に転送されて蓄積される。
【００３５】
データフローＰ３−３では、全体制御部３は、データフローＰ３−２の処理が完了した時点で、画像蓄積装置１０５に蓄積された画像処理パラメータを画像処理部２２の内部レジスタに順次設定していく。
データフローＤ３−２では、全体制御部３は、データフローＰ３−２及びデータフローＤ３−１の処理が完了した時点で、図２で説明したデータフローＤ１−２と同様に、画像処理部２２において設定した画像処理パラメータに基づいて画像処理を行い、ＫＣＭＹ画像データを得る。そして、データフローＤ３−３では、図２で説明したデータフローＤ１−３と同様に画像出力に関するデータ処理を行う。
【００３６】
以上説明したデータ処理により、付加情報格納装置が接続されていない場合でも、外部の画像処理装置から付加情報を取得して高画質の画像処理を行うことができる。
【００３７】
図８は、付加情報格納装置１０４に格納されるデータ構成に関する説明図であり、図９は、付加情報制御部２３における付加情報の処理に関するフローである。付加情報格納装置には、当該装置に関する装置情報ヘッダー領域、外部の画像処理装置１０３に関する端末情報ヘッダー領域及び外部の画像処理装置１０３の画像処理パラメータに関する端末パラメータ領域が設定されている。端末情報ヘッダー領域には、外部の画像処理装置１０３の識別情報である端末ＩＤが、印刷モードを識別するモードＩＤ、パラメータ格納開始アドレス及び終了アドレス、並びに、格納されたパラメータの有無を示すパラメータ格納モジュールといったデータと関連付けられて登録されている。モードＩＤは、文字印刷モード、写真印刷モード等の各種印刷モード又は印刷モードを設定しないことを示すデータである。端末パラメータ格納領域には、決められたアドレスにパラメータ格納モジュール別にパラメータが保存されている。
【００３８】
付加情報制御部２３における処理フローでは、まず、付加情報格納装置１０４が接続されているか判別し（Ｓ１０１）、接続されている場合（Ｓ１０１；ＹＥＳ）には、識別情報検知部２１０から識別情報（端末ＩＤ）を受信したか判別する（Ｓ１０２）。付加情報格納装置１０４が接続されていない場合（Ｓ１０１；ＮＯ）には、ステップＳ１０１に戻る。
識別情報検知部２１０から識別情報を受信した場合には（Ｓ１０２；ＹＥＳ）、付加情報格納装置１０４から装置情報ヘッダー領域のデータを取得する（Ｓ１０３）。付加情報格納装置１０４の装置情報ヘッダー領域のアドレスは、当該装置間で共通化されており、装置情報ヘッダー領域には、認識可能であるかを示すデータや各種領域のアドレス等の情報が含まれている。識別情報検知部２１０から識別情報を受信しない場合（Ｓ１０２；ＮＯ）には、ステップＳ１０１に戻る。
【００３９】
次に、取得した装置情報ヘッダー領域のデータに基づいて、接続された付加情報格納装置１０４が認識可能であるか判別する（Ｓ１０４）。例えば、格納されたデータ構成が仕様を満たしているか否かといった点をチェックする。付加情報格納装置１０４が認識可能である場合（Ｓ１０４；ＹＥＳ）には、端末情報ヘッダー領域に、受信した識別情報（端末ＩＤ）と一致する端末ＩＤが存在するか判別する（Ｓ１０５）。端末ＩＤとともに印刷モードＩＤを受信している場合には、両方が一致するものがあるか判別する（Ｓ１０５）。付加情報格納装置１０４が認識可能でない場合（Ｓ１０４；ＮＯ）には、ステップＳ１０１に戻る。
【００４０】
受信した識別情報（端末ＩＤ）と一致する端末ＩＤが端末情報ヘッダー領域に保存されていない場合（Ｓ１０５；ＮＯ）には、受信した識別情報に対応する端末ＩＤがない旨を全体制御部３に割り込み通知を行い（Ｓ１０６）、終了する。
受信した識別情報（端末ＩＤ）と一致する端末ＩＤが端末情報ヘッダー領域に保存されている場合（Ｓ１０５；ＹＥＳ）には、一致する端末ＩＤに関連付けられたパラメータ格納開始アドレス及び終了アドレス、及び、格納されたパラメータの有無を示すパラメータ格納モジュールといったデータを端末情報ヘッダー領域から取得する（Ｓ１０７）。
【００４１】
次に、取得したパラメータ格納モジュールに基づいて画像処理部２２で処理されるすべての画像処理モジュールに関するパラメータが格納されているか判別する（Ｓ１０８）。すべてのパラメータが格納されていない場合（Ｓ１０８；ＮＯ）には、不足するパラメータに関する情報を記憶保持して、全体制御部３にパラメータ不足に関する割り込み通知を行い（Ｓ１０９）、ステップＳ１１０に進む。
【００４２】
すべてのパラメータが格納されている場合（Ｓ１０８；ＹＥＳ）には、端末パラメータ情報領域の開始アドレス及び終了アドレスに基づいて開始アドレスからパラメータに関するデータを取得し（Ｓ１１０）、取得したパラメータに関するデータに基づいて画像処理部の内部レジスタにパラメータの設定を行う（Ｓ１１１）。その際に、格納されていないパラメータについては、対応する内部レジスタの設定をスキップする。そして、データを取得したアドレスが終了アドレスに達していないか判別し（Ｓ１１２）、終了アドレスに達している場合（Ｓ１１２；ＮＯ）には、すべてのパラメータが設定されたとして全体制御部３に対してパラメータ取得終了に関する割り込み通知を行い（Ｓ１１３）終了する。終了アドレスに達していない場合（Ｓ１１２；ＹＥＳ）には、データを取得するアドレスを次のアドレスにアクセスするように設定し（Ｓ１１４）、ステップＳ１１０に戻り、次のアドレスに保存されているパラメータに関するデータを取得する。
【００４３】
図１０は、全体制御部３における付加情報の処理に関するフローである。まず、識別情報検知部２１０において識別情報が検知されたか判別し（Ｓ２０１）、識別情報が検知されない場合（Ｓ２０１；ＮＯ）には、判別処理を繰り返す。識別情報が検知された場合（Ｓ２０１；ＹＥＳ）には、付加情報制御部２３のステータスに基づいて付加情報格納装置１０４が接続されているか判別する（Ｓ２０２）。付加情報格納装置１０４が接続されていない場合（Ｓ２０２；ＮＯ）には、外部の画像処理装置１０３に対して画像処理に関するすべての付加情報（画像処理パラメータ）の送信要求を行うとともに（Ｓ２０３）、ＲＧＢ画像データの送信要求を行って（Ｓ２０４）、以降の処理と並行してＲＧＢ画像データの蓄積処理を行う。
【００４４】
付加情報格納装置１０４が接続されている場合（Ｓ２０２；ＹＥＳ）には、外部の画像処理装置１０３に対してＲＧＢ画像データの送信要求を行い（Ｓ２０５）、以降の処理と並行してＲＧＢ画像データの蓄積処理を行う。
次に、付加情報制御部２３から割り込み通知を受信したか判別する（Ｓ２０６）。割り込み通知を受信していない場合（Ｓ２０６；ＮＯ）には判別処理を繰り返す。割り込み通知を受信した場合（Ｓ２０６；ＹＥＳ）には、受信した割り込み通知がパラメータの不足に関するものか判別する（Ｓ２０７）。パラメータの不足に関するものである場合（Ｓ２０７；ＹＥＳ）には、付加情報制御部２３より不足するパラメータに関する情報を取得して外部の画像処理装置１０３に対して不足する画像処理パラメータに関するデータの送信要求を行う（Ｓ２０８）。そして、以後の処理と並行して外部の画像処理装置１０３から送信された画像処理パラメータを画像蓄積装置１０５に蓄積する処理を行う。
【００４５】
割り込み通知がパラメータの不足に関するものでない場合（Ｓ２０７；ＮＯ）には、パラメータ未格納に関するものであるか判別する（Ｓ２０９）。パラメータ未格納に関するものである場合（Ｓ２０９；ＹＥＳ）には、外部の画像処理装置１０３に対して画像処理に関するすべての画像処理パラメータの送信要求を行う（Ｓ２１０）。パラメータ未格納に関するものでない場合（Ｓ２０９；ＮＯ）には、レジスト設定処理終了に関するものとしてステップＳ２１１に進む。
【００４６】
ここで、すべてのＲＧＢ画像データが画像蓄積装置１０５に蓄積されたか判別する（Ｓ２１１）。すべてのＲＧＢ画像データが蓄積されていない場合（Ｓ２１１；ＮＯ）には、判別処理を繰り返す。すべてのＲＧＢ画像データが蓄積された場合（Ｓ２１１；ＹＥＳ）には、外部の画像処理装置１０３に対して画像処理パラメータの送信要求を行ったか判別する（Ｓ２１２）。送信要求を行っていない場合（Ｓ２１２；ＮＯ）には、ステップＳ２１５に進む。送信要求を行っている場合（Ｓ２１２；ＹＥＳ）には、画像処理パラメータの受信が完了したか判別し（Ｓ２１３）、完了していない場合（Ｓ２１３；ＮＯ）には判別処理を繰り返す。画像処理パラメータの受信が完了した場合（Ｓ２１３；ＹＥＳ）には、受信した画像処理パラメータを画像処理部２２の内部レジスタに設定する（Ｓ２１４）。そして、設定された画像処理パラメータに基づいてＲＧＢ画像データの画像処理を行ってＫＣＭＹ画像データを作成し、ＫＣＭＹ画像データの画像出力処理を行って（Ｓ２１５）終了する。
【符号の説明】
【００４７】
１・・・動作制御部、２・・・画像処理制御部、３・・・全体制御部、４・・・記憶部、１００・・・画像処理装置、１０１・・・画像読取装置、１０２・・・画像出力装置、１０３・・・外部の画像処理装置、１０４・・・付加情報格納装置、１０５・・・画像蓄積装置。
【先行技術文献】
【特許文献】
【００４８】
【特許文献１】特許第４７６９６６１号公報
【図１】
2014128026.tif 000003
【図２】
2014128026.tif 000004
【図３】
2014128026.tif 000005
【図４】
2014128026.tif 000006
【図５】
2014128026.tif 000007
【図６】
2014128026.tif 000008
【図７】
2014128026.tif 000009
【図８】
2014128026.tif 000010
【図９】
2014128026.tif 000011
【図１０】
2014128026.tif 000012